(57)【特許請求の範囲】
【請求項１】
一対の半割部材をボルト締めして一体に構成されたハウジングを備えた充電用コネクタであって、
前記ハウジングの前端部には、コネクタ嵌合部が装着され、このコネクタ嵌合部は、両半割部材によって挟持されており、
一方の前記半割部材における前記コネクタ嵌合部から離れた位置には、前記両半割部材を位置決めする位置決め部が設けられており、この位置決め部は、前記両半割部材が正規の姿勢で組み付けられた場合に、他方の前記半割部材の内面に接触し、
前記一方の半割部材には、複数のボルト締結部が配設されており、前記コネクタ嵌合部から最も離れた位置に配設された前記ボルト締結部におけるボルト締めに伴って生じる回転方向の力を受けて前記他方の半割部材が回転することを阻止する位置に、前記位置決め部が設けられていることを特徴とする充電用コネクタ。
【請求項２】
前記位置決め部は、前記一方の半割部材における一方の開口縁に連設されている一方、前記ボルト締結部は、前記一方の開口縁と対向する他方の開口縁に連設されていることを特徴とする請求項１に記載の充電用コネクタ。
【請求項３】
前記ハウジングは、前記コネクタ嵌合部よりも後方に配置され電線が引き出されてなるグリップ部を備えて構成され、前記位置決め部は、前記グリップ部に設けられていることを特徴とする請求項１または請求項２に記載の充電用コネクタ。
【発明の詳細な説明】
【技術分野】
【０００１】
本発明は、充電用コネクタに関する。
【背景技術】
【０００２】
従来、電気自動車などに備えられたバッテリに充電するための充電用コネクタとして、例えば下記特許文献１に記載のものが知られている。このものは、一方の半割部材と他方の半割部材をボルト締めするで一体に構成されたグリップを備えている。一方の半割部材には、他方の半割部材との対向面に嵌合ピンが突設され、他方の半割部材の対向面には、嵌合ピンが嵌合可能なピン嵌合孔が穿設されている。嵌合ピンをピン嵌合孔に嵌合することで両半割部材が位置決めされるようになっている。
【先行技術文献】
【特許文献】
【０００３】
【特許文献１】特開２００３−３６９２４号公報
【発明の概要】
【発明が解決しようとする課題】
【０００４】
しかしながら、上記の構成では、ピン嵌合孔を設けるにあたって、ピン嵌合孔を形成するための台座を設定する必要があり、このような台座は、通常、他方の半割部材の対向面から径方向内側に肉盛りすることで設けられる。したがって、ハウジングの内部に十分なスペースが確保されている場合には、ピン嵌合孔を設けることができるものの、ハウジングの内部に十分なスペースが確保されていない場合には、台座を設定することができず、両半割部材の位置決めを行うことができない。
【０００５】
本発明は上記のような事情に基づいて完成されたものであって、スペース上の制約を受けることなく、両半割部材の位置決めを行うことを目的とする。
【課題を解決するための手段】
【０００６】
本明細書によって開示される技術は、一対の半割部材をボルト締めして一体に構成されたハウジングを備えた充電用コネクタであって、ハウジングの前端部には、コネクタ嵌合部が装着され、このコネクタ嵌合部は、両半割部材によって挟持されており、一方の半割部材におけるコネクタ嵌合部から離れた位置には、両半割部材を位置決めする位置決め部が設けられており、この位置決め部は、両半割部材が正規の姿勢で組み付けられた場合に、他方の半割部材の内面に接触する構成としたところに特徴を有する。
【０００７】
このような構成によると、位置決め部を他方の半割部材の内面に接触させることにより、両半割部材を位置決めすることができる。すなわち、両半割部材の位置決めを行うのに必要となる機能部を一方の半割部材のみに設けるだけでよく、他方の半割部材には、そのような機能部を別途設ける必要がない。したがって、スペース上の制約を受けることなく、両半割部材の位置決めを行うことができる。
【０００８】
本明細書によって開示される技術は、以下の構成としてもよい。
一方の半割部材には、複数のボルト締結部が配設されており、コネクタ嵌合部から最も離れた位置に配設されたボルト締結部におけるボルト締めに伴って生じる回転方向の力を受けて他方の半割部材が回転することを阻止する位置に、位置決め部が設けられている構成としてもよい。
このような構成によると、両半割部材を組み付けた後、ボルト締結を行う際に、ボルト締めに伴って他方の半割部材が回転しようとしても、位置決め部が他方の半割部材の内面に接触するため、その回転が阻止され、両半割部材が正規の姿勢に保持される。
【０００９】
位置決め部は、一方の半割部材における一方の開口縁に連設されている一方、ボルト締結部は、一方の開口縁と対向する他方の開口縁に連設されている構成としてもよい。
このような構成によると、位置決め部をボルト締結部からできるだけ離れた位置に設けることができるから、ボルト締結を行う際に受ける回転方向の力をできるだけ小さくすることができる。
【００１０】
ハウジングは、コネクタ嵌合部よりも後方に配置され電線が引き出されてなるグリップ部を備えて構成され、位置決め部は、グリップ部に設けられている構成としてもよい。
すなわち、コネクタ嵌合部は両半割部材によって強固に挟持されており、両半割部材を強固に（リジッドな状態に）保持しやすいものの、グリップ部においては、コネクタ嵌合部のように強固に挟持される部材がないため、両半割部材の位置ずれが発生しやすいところ、このグリップ部に位置決め部を設けたから、グリップ部における両半割部材の位置ずれを規制しやすくなる。
【発明の効果】
【００１１】
本発明によれば、スペース上の制約を受けることなく、両半割部材の位置決めを行うことができる。
【図面の簡単な説明】
【００１２】
【図１】充電用コネクタの斜視図
【図２】充電用コネクタの側面図
【図３】図１においてカバー側ハウジングを外した状態を示した斜視図
【図４】図３におけるベース側ハウジングのみを示した斜視図
【図５】図３における電線保持部材を側方から見た側面図
【図６】図３における電線保持部材を電線の軸方向に沿って上下方向に切断し側方から見た断面図
【図７】図２におけるＡ−Ａ線断面図
【図８】ベース側ハウジングの内面側を示す側面図
【図９】カバー側ハウジングの内面側を示す側面図
【図１０】図８におけるＢ−Ｂ線断面図
【図１１】半割体の斜視図
【図１２】電線保持部材の平面図
【図１３】電線保持部材の側面図
【図１４】電線保持部材の正面図
【図１５】図１２におけるＣ−Ｃ線断面図
【発明を実施するための形態】
【００１３】
＜実施形態＞
本発明の実施形態を図１ないし図１５の図面を参照しながら説明する。本実施形態における充電用コネクタ１０は、図１に示すように、全体としてピストル形状（ガン形状）をなすハウジング１１を有しており、このハウジング１１は、車両側コネクタ（図示せず）と嵌合可能なフロントハウジング２０と、このフロントハウジング２０を左右両側から挟み付けるベース側ハウジング３０およびカバー側ハウジング４０とを備えて構成されている。また、ハウジング１１には、図２に示すように、複数のボルトＢによってボルト締結されており、これらのボルトＢによってベース側ハウジング３０とカバー側ハウジング４０とが一体に組み付けられている。
【００１４】
本実施形態の電線Ｗは、図３に示すように、金属製の金属クリップ６０に保持されており、この金属クリップ６０は、ハウジング１１の手持ち部分であるグリップ部１３の内部に収容されている。グリップ部１３は、解除ボタン５２から下方に向かうほど後方に向かう斜め方向に延びる形態をなしている。なお、以下のグリップ部１３および金属クリップ６０の内部構造の説明においては電線Ｗの軸方向を前後方向として、電線Ｗの引き出し方向を後方とする。
【００１５】
グリップ部１３の後方には電線Ｗが引き出されている。この電線Ｗは、家庭用の電源に接続されるようになっており、この充電用コネクタ１０を車両側コネクタに嵌合することによって車両内部に搭載されたバッテリ（図示せず）への充電が行われるようになっている。
【００１６】
グリップ部１３における電線Ｗの引出口には、ゴムブッシュ１５が装着されている。ゴムブッシュ１５は可撓性を有するゴム材からなり、図６に示すように、グリップ部１３の後端よりも後方に突出する形態をなしている。ゴムブッシュ１５は、グリップ部１３の内周面に対して凹凸嵌合した状態で前後方向に抜け止めされて保持されている。ゴムブッシュ１５の内部には、電線Ｗが貫通しており、電線Ｗが上下左右に振られた場合に、その電線Ｗがグリップ部１３の後端に接触するなどして傷付くことを規制している。
【００１７】
両ハウジング３０，４０の内部には、図３に示すように、レバー５０が収容されており、レバー５０の前端側には、ロック爪５１が設けられている。このロック爪５１は、両ハウジング３０，４０の前端開口から前方に突出するとともに、フロントハウジング２０の上方に配置されている。充電用コネクタ１０を車両側コネクタに嵌合させると、ロック爪５１が車両側コネクタに設けられたロック突部（図示せず）に対して嵌合方向に係止することにより、充電用コネクタ１０と車両側コネクタが嵌合状態に保持される。
【００１８】
一方、レバー５０の後端側には、解除ボタン５２が設けられている。この解除ボタン５２は、ハウジング１１の後端角部（グリップ部１３の上端角部）に開設された解除窓１２から上方に突出して設けられており、この解除ボタン５２を押し下げると、ロック爪５１が持ち上がってその係止状態が解除され、充電用コネクタ１０を車両側コネクタから離脱させることができるようになっている。この解除ボタン５２の押し下げ動作は、グリップ部１３を手で握ったまま親指を使うことで行われる。
【００１９】
フロントハウジング２０は合成樹脂製であって、円筒状をなして前方に開口する形態をなしている。フロントハウジング２０の内部には、複数の端子収容部２１が前方に突出して設けられている。端子収容部２１は、略円筒状をなしており、各端子収容部２１の内部には、雌端子（図示せず）が収容されている。この雌端子に圧着接続された小径の電線がハウジング１１の内部で一纏めに集められて大径の電線Ｗとなり、この大径の電線Ｗがグリップ部１３の内部を通り、その後端から外部に導出されている。
【００２０】
フロントハウジング２０の後部における外周面には、図３に示すように、フランジ部２２が外側に張り出すようにして周設されている。一方、ベース側ハウジング３０の前端部には、図４および図８に示すように、フランジ部２２の半周分が適合して嵌り込むベース側の装着溝３１が周設されている。同じく、カバー側ハウジング４０の前端部には、図９に示すように、フランジ部２２の残りの半周分が適合して嵌り込むカバー側の装着溝４１が周設されている。両装着溝３１，４１によってフランジ部２２を左右両側から挟み込み、両ハウジング３０，４０をボルトＢによって締結すると、フロントハウジング２０がベース側ハウジング３０とカバー側ハウジング４０とによって左右両側から狭持された状態で強固に保持される。
【００２１】
このように、ハウジング１１における前端側はがたつきがないリジッドな状態となって剛体として構成されるため、ベース側ハウジング３０とカバー側ハウジング４０を組み付けてボルトＢを締結する際に両ハウジング３０，４０が位置ずれするなどのおそれはない。しかしながら、グリップ部１３においては、フロントハウジング２０のように強固に保持される部材がないため、ボルトＢを締結する際に、両ハウジング３０，４０がボルトＢの締結方向に位置ずれするおそれがある。
【００２２】
詳細に説明すると、ハウジング１１の内部には複数のボルト締結部３５，４５が設けられており、これらのボルト締結部３５，４５のうちフロントハウジング２０から最も離れた位置にあるボルト締結部３５，４５がグリップ部１３の内部におけるゴムブッシュ１５の近傍に設けられている。両ハウジング３０，４０を組み付ける前の状態では、図８および図９に示すように、グリップ部１３におけるベース側ハウジング３０の開口縁にボルト締結部３５が連設され、グリップ部１３におけるカバー側ハウジング４０の開口縁にボルト締結部４５が連設されている。これらのボルト締結部３５，４５にボルトＢが締結されると、カバー側ハウジング４０には、ボルト締結部４５を中心とする時計回り方向の力が発生することになる。この結果、ボルト締結部４５と反対側に位置する開口縁がベース側ハウジング３０のボルト締結部３５側に近づくように回転しようとする。
【００２３】
そこで、カバー側ハウジング４０の回転を防ぐべく、ベース側ハウジング３０の内部には、位置決めリブ１６が設けられている。この位置決めリブ１６は、ボルト締結部３５側の開口縁と対向する開口縁に連設されており、ボルト締結部３５からできるだけ離れて配置されているため、回転方向の力をできるだけ小さくできるようになっている。位置決めリブ１６は、ベース側ハウジング３０の開口縁からカバー側ハウジング４０の内部に突出する形態をなしており、両ハウジング３０，４０が正規の姿勢で組み付けられた場合に、位置決めリブ１６がカバー側ハウジング４０の内面に接触するようになっている。これにより、カバー側ハウジング４０の回転が阻止されている。
【００２４】
金属クリップ６０は、略箱形状をなす本体部６１を有している。ハウジング１１の内部には、本体部６１が装着される装着部が設けられている。この装着部は、図８と図９を見比べればわかるように、ベース側ハウジング３０とカバー側ハウジング４０によって左右対称に分割されており、両ハウジング３０，４０を組み付けた状態では、ベース側ハウジング３０側の装着部とカバー側ハウジング４０側の装着部とが対向して配置されるようになっている。
【００２５】
ベース側ハウジング３０側の装着部は、図８に示すように、本体部６１の前後方向の移動を規制する一対のベース側抜止部３２，３２と、本体部６１の上下方向の移動を規制する一対のベース側規制部３３，３３と、本体部６１の左右方向の移動を規制する一対のベース側狭持部３４，３４とからなる。一方、カバー側ハウジング４０側の装着部は、図９に示すように、本体部６１の前後方向の移動を規制する一対のカバー側抜止部４２，４２と、本体部６１の上下方向の移動を規制する一対のカバー側規制部４３，４３と、本体部６１の左右方向の移動を規制する一対のカバー側狭持部４４，４４とからなる。ここで、上下方向および左右方向については図７を基準として説明する。
【００２６】
両ベース側抜止部３２，３２と両カバー側抜止部４２，４２はいずれも板状をなし、図６に示すように、本体部６１の前後両面にほぼ面接触しており、本体部６１が前後方向に移動することを規制しつつ、本体部６１の傾動を規制している。また、両ベース側抜止部３２，３２と両カバー側抜止部４２，４２との間には、電線Ｗを通す通し孔１４が形成されている。
【００２７】
ベース側挟持部３４とカバー側挟持部４４は、図８および図９に示すように、前後方向に延びる前後リブと、上下方向に延びる上下リブとから構成されている。具体的には、図示２本の前後リブが並列に並んで配置され、図示２本の上下リブが直列に並んで配置されている。図７に示すように、ベース側挟持部３４とカバー側挟持部４４は、本体部６１の左右両側面にほぼ線接触しており、本体部６１が左右方向に移動することを規制しつつ、本体部６１の傾動を規制している。
【００２８】
両ベース側規制部３３，３３と両カバー側規制部４３，４３はいずれも板状をなし、図７に示すように、ベース側規制部３３とカバー側規制部４３の対向部は、左右方向に所定の間隔を空けて配置されている。また、両ベース側規制部３３，３３は、本体部６１の上下両面にほぼ面接触しており、本体部６１が上下方向に移動することを規制しつつ、本体部６１の傾動を規制している。一方、両カバー側規制部４３，４３についても、両ベース側規制部３３，３３とともに、本体部６１の上下両面にほぼ面接触しており、本体部６１が上下方向に移動することを規制しつつ、本体部６１の傾動を規制している。すなわち、金属クリップ６０の本体部６１は、三方向（上下方向、左右方向、前後方向）で移動が規制された状態でかつ傾動が規制された状態にあるため、ハウジング１１に対して回り止め状態で保持される。
【００２９】
前後一対の抜止部３２，４２のうち後側の抜止部３２，４２は、ボルト締結部３５，４５に連設されている。両ハウジング３０，４０の開口縁におけるボルト締結部３５，４５の前後両側には、それぞれ凹部３６，４６が凹設されている。両ハウジング３０，４０を組み付けると、ベース側の凹部３６とカバー側の凹部４６とによって前後一対の水抜き孔が構成されるようになっている。これにより、グリップ部１３の内部に浸入した水は、両水抜き孔から外部に排出される。
【００３０】
金属クリップ６０の本体部６１は、図１１に示す半割体６２を互いに組み付けることで構成されている。両半割体６２は同一部品であって、底壁６３と、この底壁６３の前縁および後縁から対向状態で上方に立ち上がる前壁６４Ｆおよび後壁６４Ｒと、底壁６３の左右両側縁から対向状態で上方に立ち上がる左右一対の両側壁６５Ｌ，６５Ｒとを備えて構成されている。底壁６３の四隅には、開口部６３Ｂが設けられている。この開口部６３Ｂによって、本体部６１の内部に浸入した水を外部に排出できるようになっている。
【００３１】
底壁６３の中央には、図１３に示すように、円孔６３Ａが貫通して形成されている。両半割体６２，６２を組み付けた状態では、図１３に示すように、両円孔６３Ａ，６３Ａが同軸に配置される。また、底壁６３は、図７に示すように、ベース側狭持部３４とカバー側狭持部４４によって左右両側から狭持される。両挟持部３４，４４において両円孔６３Ａ，６３Ａと対応する位置には、溝部３４Ａ，４４Ａが凹設されている。これにより、金属クリップ６０の本体部６１の内部に浸入した水を円孔６３Ａ、両溝部３４Ａ，４４Ａ、両凹部３６，４６などを介して外部に排出することができるようになっている。
【００３２】
両前壁６４Ｆの端縁同士は、図１４に示すように、左右両側から突き合わせるように対向した配置とされている。両前壁６４Ｆ，６４Ｆの突き合わせ縁には、それぞれ円弧状をなす湾曲部６６が設けられている。両湾曲部６６，６６が向き合うように両半割体６２，６２が組み付けられることで、電線Ｗを挿通させる電線挿通孔６７が形成されている。両半割体６２，６２によって電線Ｗを挟持した状態では、図６に示すように、両湾曲部６６，６６が電線Ｗに食い込んだ状態となっているものの、この食い込みは、電線Ｗの被覆を傷付けることなく弾性的に押圧する程度とされている。したがって、金属クリップ６０によって電線Ｗを傷付けることなく強固に抜け止めできるようになっている。
【００３３】
また、湾曲部６６の両端部には、図１４に示すように、電線挿通孔６７の径方向外側に傾斜した一対の逃がし部６８，６８が設けられている。両半割体６２，６２を組み付けた状態において両逃がし部６８，６８によって挟まれた領域には、電線挿通孔６７に連通する逃がし空間が形成されている。この逃がし空間には、電線Ｗが両湾曲部６６，６６によって過度に強く挟持された場合に、その電線Ｗの一部を逃がすことができるようになっている。また、前後両壁６４Ｆ，６４Ｒは、両湾曲部６６，６６が電線Ｗに対して強固に押し当てられた場合に、底壁６３を中心として開き変形することで、電線Ｗにかかる押圧力を緩和できるように構成されている。これらによって、両湾曲部６６，６６による電線Ｗの傷付きをさらに規制することができる。
【００３４】
両電線挿通孔６７，６７は、図１４に示すように、両電線挿通孔６７，６７に挿通される電線Ｗの軸方向に所定の間隔を空けて同軸で配置されている。このため、一つの電線挿通孔６７だけで電線Ｗを保持する場合よりも、電線Ｗに対する押圧力を小さくすることができる。
【００３５】
両前壁６４Ｆ，６４Ｆの突き合わせ縁における一方の端部には、位置決め突部６９が設けられ、他方の端部には、位置決め突部６９が嵌り込む段部７０が設けられている。両半割体６２，６２を組み付けた状態では、位置決め突部６９が段部７０に嵌り込んで上下方向に係止することにより、両半割体６２，６２の位置ずれが規制されている。
【００３６】
左右両側壁６５Ｌ，６５Ｒの一方には、係止孔７１が貫通して設けられ、他方には、撓み可能な係止片７２が切り起こしによって設けられている。両半割体６２，６２を組み付けた状態では、図１５に示すように、一方の半割体６２の係止片７２が他方の半割体６２の係止孔７１に嵌り込み、係止片７２の先端が係止孔７１の内面に係止することにより、両半割体６２，６２が抜け止めされる。なお、係止片７２が係止孔７１に嵌り込んだ状態では、係止片７２を係止孔７１に対して両半割体６２，６２の組み付け方向と直交する方向に離脱させようとすると、位置決め突部６９と段部７０が接触するようになっており、これにより係止片７２が係止孔７１に嵌った状態に保持され、両半割体６２，６２が組み付け状態に保持される。
【００３７】
本実施形態は以上のような構成であって、続いてその作用を説明する。まず、ベース側ハウジング３０に、フロントハウジング２０，レバー５０などの部品を組み付けていき、電線Ｗに金属クリップ６０を取り付ける。金属クリップ６０の取り付けにあたっては、一方の半割体６２の両湾曲部６６によって電線Ｗを支持させた状態としておき、この状態から他方の半割体６２を一方の半割体６２に組み付けて両半割体６２，６２の両湾曲部６６，６６によって電線Ｗを挟持する。これにより、金属クリップ６０が電線Ｗに対して固定される。
【００３８】
次に、金属クリップ６０をグリップ部１３内の両ベース側抜止部３２，３２の間、および両ベース側規制部３３，３３の間に正規の姿勢で装着する。この状態では、半割体６２の前後両壁６４Ｆ，６４Ｒが両ベース側抜止部３２，３２に面接触するとともに、半割体６２の左右両側壁６５Ｌ，６５Ｒが両ベース側規制部３３，３３に面接触し、半割体６２の底壁６３がベース側挟持部３４に線接触する。そして、他方の半割体６２を一方の半割体６２に組み付けると、電線Ｗが両湾曲部６６，６６によって押圧されるとともに、両係止片７２，７２が左右両側壁６５Ｌ，６５Ｒによって撓み変形させられつつ正規の取付位置に至ると、両係止片７２,７２が弾性的に復帰して両係止孔７１，７１に嵌り込む。これにより、両半割体６２，６２が組み付け状態に保持されてなる本体部６１が構成され、この本体部６１が電線Ｗに固定される。
【００３９】
続けて、カバー側ハウジング４０をベース側ハウジング３０に対して組み付けると、フロントハウジング２０のフランジ部２２が両ハウジング３０，４０の装着溝３１，４１に嵌合し、フロントハウジング２０が両ハウジング３０，４０によって挟持される。次に、複数のボルト締結部３５，４５に対してボルトＢを締め込んでいく。ここで、グリップ部１３内のボルト締結部３５，４５にボルトＢを締め込んでいくと、締め込み時のトルクによってカバー側ハウジング４０が時計回り方向に回転しようとする。しかしながら、カバー側ハウジング４０の内面がベース側ハウジング３０の位置決めリブ１６に当接することでカバー側ハウジング４０の回転が規制される。こうして、全てのボルトＢを締め込むことで、充電用コネクタ１０が完成する。
【００４０】
以上のように本実施形態では、ボルトＢを締結する際に、カバー側ハウジング４０がボルト締結部３５を中心として時計回り方向に回転しようとするものの、グリップ部１３におけるボルト締結部３５と反対側の開口縁に位置決めリブ１６を設けたから、この位置決めリブ１６をカバー側ハウジング４０の内面に接触させることで、カバー側ハウジング４０の回転を阻止することができる。すなわち、ベース側ハウジング３０のみに位置決めリブ１６を設ければよく、カバー側ハウジング４０に何らかの位置決め防止機構を設けなくてよいから、スペース上の制約を受けることなく、両ハウジング３０，４０の位置決めを行うことができる。また、位置決めリブ１６をボルト締結部３５から離れた位置に設けたから、位置決めリブ１６にかかる回転方向の力をできるだけ小さくすることができる。
【００４１】
また、金属クリップ６０の本体部６１が両抜止部３２，４２によって前後方向から挟まれた状態で抜け止めされるとともに、両規制部３３，４３によって上下方向から挟まれた状態に保持されるとともに、両挟持部３４，４４によって左右両側から挟まれた状態に保持される。したがって、金属クリップ６０の本体部６１がグリップ部１３内で電線Ｗの軸回り方向に回り止めされるとともに、電線Ｗの軸方向に抜け止めされる。また、両湾曲部６６，６６によって電線Ｗを均一に押圧することができるから、電線Ｗの傷付きを防ぐことができる。また、電線Ｗの一部を逃がす逃がし部６８を設けるとともに、電線挿通孔６７を前後一対設けたから、電線Ｗにかかる押圧力を下げることができ、電線Ｗの傷付きをさらに防ぐことができる。
【００４２】
＜他の実施形態＞
本発明は上記記述及び図面によって説明した実施形態に限定されるものではなく、例えば次のような実施形態も本発明の技術的範囲に含まれる。
（１）上記実施形態では位置決めリブ１６が図８におけるグリップ部１３の図示後側の開口縁に連設されているものの、本発明によると、位置決めリブを図８における図示前側の開口縁に連設してもよい。この場合、ボルト締結部を図８における図示後側の開口縁に連設してもよい。
【００４３】
（２）上記実施形態では位置決め部として位置決めリブ１６を例示しているものの、本発明によると、位置決め部はリブ状としなくてもよい。例えば位置決め部として爪形状のロック部を設けるとともにカバー側ハウジングの内面に孔を設けて、ロック部の先端を孔に引っ掛けてハウジング同士を仮止めするとともに、ロック部の基端側をカバー側ハウジングの内面（孔の周縁）に接触させる構成としてもよい。
【００４４】
（３）上記実施形態では位置決めリブ１６とボルト締結部３５が異なる開口縁にそれぞれ連設されているものの、本発明によると、位置決めリブとボルト締結部をそれぞれ同じ開口縁に連設してもよい。
【００４５】
（４）上記実施形態では位置決めリブ１６がグリップ部１３に設けられているものの、本発明によると、グリップ部１３以外に位置決めリブを設けてもよい。
【符号の説明】
【００４６】
１０…充電用コネクタ
１１…ハウジング
１３…グリップ部
１６…位置決めリブ（位置決め部）
２０…フロントハウジング（コネクタ嵌合部）
３０…ベース側ハウジング（一方の半割部材）
３５…ボルト締結部
４０…カバー側ハウジング（他方の半割部材）
【図１】
0005645077.tif 000002
【図２】
0005645077.tif 000003
【図３】
0005645077.tif 000004
【図４】
0005645077.tif 000005
【図５】
0005645077.tif 000006
【図６】
0005645077.tif 000007
【図７】
0005645077.tif 000008
【図８】
0005645077.tif 000009
【図９】
0005645077.tif 000010
【図１０】
0005645077.tif 000011
【図１１】
0005645077.tif 000012
【図１２】
0005645077.tif 000013
【図１３】
0005645077.tif 000014
【図１４】
0005645077.tif 000015
【図１５】
0005645077.tif 000016